(57)【要約】【課題】化粧料が塗布された皮膚の感触を官能評価によらず客観的に評価することができる方法を提供すること。【解決手段】本発明の化粧料の評価方法は、化粧料が塗布された皮膚を評価対象部位として用い、該評価対象部位に、制御された変形量又は制御された力を加え、そのときの力学応答特性を計測し、計測結果に基づき前記化粧料の特性を評価する。前記評価対象部位を含む被測定体を固定して不動とした状態下に、制御された前記変形量又は制御された前記力を加えることが好適である。【選択図】図５
2019052858.tif 000002
【特許請求の範囲】
【請求項１】
化粧料が塗布された皮膚を評価対象部位として用い、該評価対象部位に、制御された変形量又は制御された力を加え、そのときの力学応答特性を計測し、計測結果に基づき前記化粧料の特性を評価する、化粧料の評価方法。
【請求項２】
前記評価対象部位の中心点の接面と直交する方向へ、制御された変形量又は制御された力で押し込みを行った後、該接面と平行な方向へ、制御された正逆回動振動変形又は制御された一方向への回転変形を加え、そのときの力学応答特性を計測する請求項１に記載の化粧料の評価方法。
【請求項３】
前記評価対象部位の中心点の接面と直交する方向へ、制御された変形量又は制御された力で押し込みを行った後、該接面と平行な方向へ、制御された正逆回動振動変形を加えてトルクを計測する請求項２に記載の化粧料の評価方法。
【請求項４】
前記評価対象部位の中心点への接面と直交する方向へ、制御された変形量又は制御された力で押し込みを行った後、該接面と平行な方向へ、制御された一方向への回転変形を加えて静摩擦係数を計測する請求項２に記載の化粧料の評価方法。
【請求項５】
前記評価対象部位の中心点への接面と直交する方向へ、制御された変形量又は制御された力で押し込みを行った後、該接面と平行な方向へ、制御された一方向への回転変形を加えて動摩擦係数を計測する請求項２に記載の化粧料の評価方法。
【請求項６】
前記評価対象部位の中心点への接面と直交する方向へ、制御された変形量又は制御された力で押し込みを行い、そのときの法線力を計測する請求項１に記載の化粧料の評価方法。
【請求項７】
前記評価対象部位の中心点への接面と直交する方向へ、制御された変形量又は制御された力で押し込みを行い、次いで制御された力又は制御された変形量で引き上げを行ったときに観察されるタック力の持続時間を計測する請求項１に記載の化粧料の評価方法。
【請求項８】
前記評価対象部位の中心点への接面と直交する方向へ、制御された変形量又は制御された力を予め加えておき、次いで制御された力又は制御された変形量で引き上げを行ったときに観察されるタック力のピーク値を計測する請求項１に記載の化粧料の評価方法。
【請求項９】
前記評価対象部位を含む被測定体を固定して不動とした状態下に、制御された前記変形量又は制御された前記力を加える請求項１ないし８のいずれか一項に記載の化粧料の評価方法。
【請求項１０】
前記評価対象部位を含む前記被測定体の外形に合わせて該被測定体の保持が可能な形状に変形可能になされているとともに、計測時に該形状が保持可能になされている保持具を用いて該被測定体を固定して不動とする請求項９に記載の化粧料の評価方法。
【発明の詳細な説明】
【技術分野】
【０００１】
本発明は化粧料の評価方法に関する。
【背景技術】
【０００２】
動的粘弾性測定装置を用いて皮膚の変形挙動を測定し、貯蔵弾性率Ｇ’や損失弾性率Ｇ”と筋肉の緊張状態との関係を調べる技術が知られている。例えば非特許文献１には、レオメーター下部の測定ステージに被験者の前腕部を配置し、前腕部内側にプローブを当接させてずり変形を与え、粘弾性特性値を求めることが記載されている。同文献においては、このような測定を行うことで、褥瘡周辺のひずみ分布と創の形成との関係を検討している。
【先行技術文献】
【非特許文献】
【０００３】
【非特許文献１】「実験化学」、２０１１年３月、Ｖｏｌ．１１、Ｎｏ．１、ｐｐ．３０−３４
【発明の概要】
【発明が解決しようとする課題】
【０００４】
しかし前記の文献に記載の技術では、褥瘡周辺のひずみ分布に基づき、創の形成過程が推定できるのにとどまり、皮膚に関する他の情報、例えば化粧料を塗布した状態の皮膚に関する情報を得ることまでは検討されていない。また、前記の文献に記載の測定方法を採用した場合、測定対象である前腕部を確実に固定しておかない場合には、測定を行っている間に前腕部が意図せず動いてしまい、精度の高い測定を行うことが容易でない。
【０００５】
したがって本発明の課題は、化粧料が塗布された皮膚を評価対象部位として用いた化粧料の評価方法を提供することにある。
【課題を解決するための手段】
【０００６】
本発明は、化粧料が塗布された皮膚を評価対象部位として用い、該評価対象部位に、制御された変形量又は制御された力を加え、そのときの力学応答特性を計測し、計測結果に基づき前記化粧料の特性を評価する、化粧料の評価方法を提供するものである。
【発明の効果】
【０００７】
本発明によれば、化粧料が塗布された皮膚の感触を官能評価によらず客観的に評価することができる。
【図面の簡単な説明】
【０００８】
【図１】図１は、本発明の被測定物の保持具とともに用いられる力学特性計測装置を示す模式図である。
【図２】図２は、本発明の被測定物の保持具の一実施形態を示す斜視図である。
【図３】図３は、本発明の被測定物の保持具を用いて被測定物を測定する前の状態を示す斜視図である。
【図４】図４は、本発明の被測定物の保持具を用いて被測定物を測定している状態を示す斜視図である。
【図５】図５は、化粧料を塗布した皮膚のトルクの値の変化率と、化粧料を塗布してからの経過時間との関係を示すグラフである。
【図６】図６は、化粧料を塗布した皮膚の摩擦係数の測定結果を示すグラフである。
【図７】図７（ａ）ないし（ｃ）は、化粧料を塗布した皮膚の静摩擦係数μｓの値と、化粧料を塗布してからの経過時間との関係を示すグラフである。
【図８】図８（ａ）及び（ｂ）は、化粧料を塗布した皮膚の動摩擦係数μｄの値と、化粧料を塗布してからの経過時間との関係を示すグラフである。
【図９】図９は、化粧料を塗布した皮膚を押し込んだときの法線力の値の変化率と、化粧料を塗布してからの経過時間との関係を示すグラフである。
【図１０】図１０（ａ）及び（ｂ）は、化粧料を塗布した皮膚のタック幅の測定結果を示すグラフである。
【図１１】図１１は、化粧料を塗布した皮膚の力学応答特性を測定するために用いられるプローブの一例を示す斜視図である。
【図１２】図１２は、化粧料を塗布した皮膚のタック力のピーク値と、化粧料を塗布してからの経過時間との関係を示す棒グラフである。
【図１３】図１３は、化粧料を塗布した皮膚のタック幅と、化粧料を塗布してからの経過時間との関係を示すグラフである。
【発明を実施するための形態】
【０００９】
以下本発明を、その好ましい実施形態に基づき説明する。本発明は、化粧料が塗布されたヒトの皮膚を評価対象部位として用いた化粧料の評価方法に関する。詳細には、前記評価対象部位に、制御された変形量又は制御された力を加え、そのときの力学応答特性を計測し、計測結果に基づき化粧料の特性を評価する。化粧料の特性には、化粧料が塗布された皮膚の潤い感、化粧料が塗布された皮膚の柔らかさ、化粧料が塗布された皮膚のもちもち感、化粧料が塗布された皮膚のべたつきの無さ、化粧料を皮膚に塗布している最中のみずみずしさ、及び化粧料を皮膚に塗布するときの馴染みの速さなどが挙げられるが、これらに限られない。
【００１０】
本発明の評価方法においては、皮膚における評価対象部位に、（ｉ）制御された変形量又は（ii）制御された力を加える。（ｉ）の制御された変形量としては、例えば一定速度での押し込み、一定速度での引き上げ、一定速度での正逆回動振動、一定速度での一方向への回転などが挙げられる。（ii）の制御された力としては、例えば一定荷重での押し付けなどが挙げられる。
【００１１】
皮膚における評価対象部位に、上述した（ｉ）制御された変形量又は（ii）制御された力を加えるのに先立ち、別の制御された変形量又は制御された力を加えることができる。例えば（ア）制御された変形量として、一定速度での正逆回動振動を評価対象部位に加えるのに先立ち、該部位に、制御された力として、一定荷重での押し付けを加えることができる。あるいは（イ）制御された変形量として、一定速度での引き上げを評価対象部位に加えるのに先立ち、該部位に、制御された変形量として一定速度での押し込みを加えるか、又は制御された力として一定荷重での押し付けを加えることができる。あるいは（ウ）制御された変形量として、一定速度での一方向への回転を評価対象部位に加えるのに先立ち、該部位に、制御された変形量として一定荷重での押し付けを加えることができる。
【００１２】
皮膚における評価対象部位に、上述した（ｉ）制御された変形量又は（ii）制御された力を加え、そのときに計測する力学応答特性としては、（ｉ）及び（ii）の具体的な内容に応じて種々の力学的特性をすることができる。力学応答特性の例としては、トルク、静摩擦係数、動摩擦係数、法線力、タック力、弾性率、粘度などが挙げられるが、これらに限られない。これらの力学的特性の計測結果に基づき、上述した化粧料の特性を評価する。
【００１３】
本発明において評価の対象となる化粧料の種類に特に制限はなく、美容の目的で使用される化粧水、乳液、クリーム、ジェル、美容液、洗浄料、液状ファンデーション、口紅、マッサージ料などと呼ばれるものを広く包含する。化粧料は、水系のものであってもよく、油系のものであってもよく、あるいは乳化系のものであってもよい。化粧料の粘度にも特に制限はなく、水に近い流動性の高いものから、クリーム状の流動性の低いものまでを包含する。
【００１４】
本発明の評価方法においては、評価対象部位を含む被測定体を固定して不動とした状態下に、制御された変形量又は制御された力を加えることが、測定の精度や再現性を高める点から好ましい。この目的のために、本発明においては、例えば図１に示す動的粘弾性測定装置１０を用いることが好ましい。この動的粘弾性測定装置１０は、装置本体１１を備えており、該装置本体１１にはプローブ１２が取り付けられている。プローブ１２は、被測定物に与える変形の種類に応じ、種々の形状のものが用いられる。プローブ１２は、装置本体１１から鉛直下方に向けて垂下するように取り付けられている。尤も、プローブ１２の取付態様はこれに限られず、例えば装置本体１１から水平方向に張り出すように取り付けられてもよい。プローブ１２の取付態様は、被測定物に与える変形の種類、プローブ１２の形状、被測定物の種類、被測定物の形状等に応じて適宜決定される。
【００１５】
動的粘弾性測定装置１０は、ヒトの皮膚に、制御された変形量又は制御された力を加え、その力学応答特性としての力又は変形を検出するための機構を備えていることが好ましい。具体的には、以下の（１）−（３）のいずれかの装置を用いることが好ましい。
（１）皮膚測定表面部位の中心点への接面に垂直な方向への押し付け力又は押し付け変位を与えつつ、接面に平行な方向での正逆回動振動変形又は一方向への回転変形を与えることにより力学計測を行い得る装置。
（２）皮膚測定表面部位の中心点への接面に垂直な方向への一定力や変形での押し付け、あるいは制御された押し付け力又は移動速度で押し付けや引き上げを行うことで力学計測を行い得る装置。
（３）（１）及び（２）の両方のモードを組み合わせた計測を行い得る装置。
【００１６】
特に、精度の高い測定を行うためには、以下の性能を有する装置を用いることが好適である。
・検出可能な最小トルク（振動）：１ｎＮｍ以上１μＮｍ以下
・検出可能な最小トルク（回転）：５ｎＮｍ以上１μＮｍ以下
・計測可能な最大トルク：１０ｍＮｍ以上３００ｍＮｍ以下
・トルク分解能：０．０７ｎＮｍ以上１００ｎＮｍ以下
・設定可能角度：０．０７μｒａｄ以上
・回転角分解能：７ｎｒａｄ以上７０ｎｒａｄ以下
・ステップ速度（応答時間）：３ｍｓ以上３０ｍｓ以下
・ステップ歪み（応答時間）：８ｍｓ以上５０ｍｓ以下
・ステップ時間（設定値の９９％）：１０ｍｓ以上２００ｍｓ以下
・角速度範囲：１０−４ｓ−１〜３１４ｓ−１程度
・角周波数範囲：１０−３ｓ−１〜６２８ｓ−１程度
・法線力範囲：０．００５Ｎ以上５０Ｎ以下
・法線力分解能：０．５ｍＮ
【００１７】
動的粘弾性測定装置１０は、テーブル１３の載置面１３ａ上に載置されている。動的粘弾性測定装置１０に隣接した位置には架台１４が設置されている。架台１４は、被測定物（図示せず）が載置される。したがって架台１４の載置面１４ａは、少なくともプローブ１２の直下に位置している。
【００１８】
図２には、図１に示す動的粘弾性測定装置１０とともに用いられる保持具２０が示されている。保持具２０は、被測定物の外形に合わせて該被測定物の保持が可能な形状に変形可能になされている。これとともに保持具２０は、計測時に該形状が保持可能になされている。このような構成を達成するために、保持具２０は、変形可能な気密袋２１を備えている。気密袋２１は気体非透過性のシート材料から構成されている。保持具２０の肌触りを良好にすることを目的として、気密袋２１は高分子材料又は発泡高分子シート等のフレキシブルな素材であることが好ましい。更に気密袋２１は、その外面が布で覆われていてもよい。布で覆うことは、被測定物がヒトの身体の一部である場合に特に有用である。気密袋２１の内部には顆粒状物質（図示せず）が封入されている。顆粒状物質は一般にその平均的な大きさが、気密袋２１内を減圧したときに、ある程度の柔軟性を保つようにする観点から、１ｍｍ以上で、被測定物の外形への追従性を維持する観点から、８ｍｍ以下の粒状体からなる。この粒状体は、被測定物の測定時に加わる荷重に対して実質的に変形しない程度の剛性を有する固体物質から構成されている。また、この粒状体は中実体であるか、又は中空体である。中実体と中空体との混合物を用いてもよい。
【００１９】
顆粒状物質はその形状に特に制限はなく、例えば球状、多面体状、楕円球状、紡錘状、不定形等であり得る。これらの形状の組み合わせを用いてもよい。気密袋２１の内部での顆粒状物質の充填性を高め、被測定物の測定時に保持具２０の形状を確実に保持する観点からは、略球状の形状を有する顆粒状物質を用いることが好ましい。
【００２０】
顆粒状物質は、気密袋２１内において流動可能な状態で封入されている。それによって、保持具２０はその外形を自由に変形させることが可能となる。また被測定物の外形に適応して形状に容易に変形し得る点から、保持具２０はその外形が、図２に示すとおり扁平体であることが好ましい。
【００２１】
保持具２０の気密袋２１には連通部２２が備えられている。連通部２２は気密袋２１の内部と外部とを繋ぐ部材である。図２に示す実施形態では連通部２２は筒状の形状をしている。この筒には、例えば、二方弁（図示せず）が設けられている。この二方弁は、連通部２２を通じての気密袋２１の内部から外部への気体の排気及び外部から内部への気体の流入を調整できる構造を有している。なお、二方弁に替えて逆止弁を用いることもできる。
【００２２】
以上のとおりの構成を有する保持具２０は、いわゆる減圧式ビーズマットという称呼で広く知られている物品である。この種の保持具２０を用いる場合には、保持具２０とは別に用意しておいた排気ポンプ４０の排気管４１を、気密袋２１に取り付けられている連通部２２と接続する。この時点では、気密袋２１内には空気が存在している。また気密袋２１内に封入されている顆粒状物質は流動状態を保っており、保持具２０も、外力によって変形可能な状態を保っている。この状態から排気ポンプ４０を作動させると、気密袋２１内に存在している空気が次第に排気されて気密袋２１は次第に縮小していくとともに、顆粒状物質が流動性を次第に喪失していき締め固まった状態となる。そして気密袋２１内を−２０〜−４０ｋＰａ（ゲージ圧）程度の吸引力で減圧すると、顆粒状物質は流動性をほぼ喪失し、ほぼ変形不能な締め固まった状態となる。このようにして、保持具２０はその形状が保持可能になる。
【００２３】
図３には、動的粘弾性測定装置１０及び保持具２０を用いて、本発明の評価方法を行う状態の一例が示されている。同図においては、ヒト３０の前腕部３１の内側の皮膚を評価対象部位とした状態が示されている。図３に示す実施形態においては、例えば美容の目的、皮膚に塗布する化粧料の開発又は選定の目的、皮膚に塗布する医薬部外品の開発又は選定の目的などの非医療行為を目的として評価を行っている。
【００２４】
図３においては、被験者であるヒト３０が架台１４に隣接している椅子１５に腰掛け、左腕の前腕部３１を、その内側がプローブ１２と対向するように、架台１４の載置面１４ａに載置している状態が示されている。前腕部３１と載置面１４ａとの間には保持具２０が配置されている。保持具２０が縦長の形状をした扁平体であり、その長手方向が前腕部３１の延びる方向と一致するように、前腕部３１と載置面１４ａとの間に配置されている。
【００２５】
この場合、保持具２０の両端域２３ａ及び２３ｂが、架台１４の載置面１４ａにおける前後の端縁から外方に延出し、且つ鉛直下方に向けて垂下するように、該保持具２０を配置する位置を調整する。次に、図３に示す状態にある保持具２０と前腕部３１とを良く馴染ませて、両者が極力密着し、両者間に隙間が極力生じないように、保持具２０を変形させる。この状態下に、保持具２０における連通部（図示せず）に、図２に示す排気ポンプ４０を接続し、保持具２０の気密袋２１内の気体を脱気する。この脱気によって、保持具２０の気密袋２１が次第に縮小していき、顆粒状物質は流動性をほぼ喪失してほぼ変形不能な締め固まった状態となる。これによって被測定物である前腕部３１の固定状態が完成する。その結果、測定の間にわたり前腕部３１の動きが阻止される。また、この状態は、ヒト３０が自然な姿勢になっているので、肉体的な負担が少ない。また、保持具２０による前腕部３１の固定状態では過度な締め付けは起こらないので、例えば血流の変化や筋肉の弛緩等、測定に影響を来すような身体的変化が生じにくい。
【００２６】
このようにして前腕部３１の固定状態が完成したら、評価対象部位の中心点の接面と直交する方向へ、制御された変形量で押し込みを行う又は制御された力で押し付けを行う。例えば図４に示すとおり、動的粘弾性測定装置１０の装置本体１１に取り付けられているプローブ１２を降下させて、前腕部３１の皮膚（この皮膚には予め化粧料が塗布されている。）に当接させ、制御された力としての一定荷重での押し付けを行う。「評価対象部位の中心点」とは、二次元的な広がりを持つ評価対象部位における図心の位置のことである。プローブ１２は、評価対象部位の中心点を含む二次元領域に当接する。
【００２７】
制御された力としての一定荷重での押し付けの荷重は、化粧料の種類及びプローブ１２のサイズなどに応じて適切な値を選択できる。加える荷重は制御の安定性の観点より、０．４Ｎ以上であることが好ましく、０．５Ｎ以上であることが更に好ましく、０．６Ｎ以上であることが一層好ましい。また、被験者へ与えるストレスの抑制という観点より、５．０Ｎ以下であることが好ましく、３．０Ｎ以下であることが更に好ましく、１．５Ｎ以下であることが一層好ましい。加える荷重は、０．４Ｎ以上５．０Ｎ以下であることが好ましく、０．５Ｎ以上３．０Ｎ以下であることが更に好ましく、０．６Ｎ以上１．５Ｎ以下であることが一層好ましい。
【００２８】
プローブ１２によって評価対象部位を一定荷重で押し付けた状態下に、制御された変形量又は制御された力を該評価対象部位に加える。例えば、制御された変形量として、評価対象部位の中心点の接面と平行な方向へ、制御された正逆回動振動変形又は制御された一方向への回転変形を加えることができる。そして、制御された変形量を加えたときの力学的特性を計測する。
【００２９】
制御された変形量として、例えば制御された正逆回動振動変形を加える場合、プローブ１２の正逆回動振動の周波数は、測定時間の短縮ひいては測定精度を高める点から０．８Ｈｚ以上であることが好ましく、１．３Ｈｚ以上であることが更に好ましく、１．８Ｈｚ以上であることが一層好ましい。また、測定データの信頼性を確保する意味で７．０Ｈｚ以下であることが好ましく、５．０Ｈｚ以下であることが更に好ましく、３．０Ｈｚ以下であることが一層好ましい。周波数は、０．８Ｈｚ以上７．０Ｈｚ以下であることが好ましく、１．３Ｈｚ以上５．０Ｈｚ以下であることが更に好ましく、１．８Ｈｚ以上３．０Ｈｚ以下であることが一層好ましい。この測定は動的粘弾性測定であるので、正逆回動振動の変位（振幅）は、線形歪み以下の変形量に設定する必要がある。なお、本計測を行う場合には、プローブ１２が皮膚の表面で滑らないようにするために、例えば、後述する図１１に示すような、皮膚との当接面に複数条の溝２５が設けられたプローブ１２を用いることが好ましい。
【００３０】
プローブ１２によって評価対象部位に正逆回動振動を加えることで、そのときの力学応答特性を計測する。力学応答特性としては例えばプローブ１２を正逆回動振動させるときに受けるトルクが好適なものとして挙げられる。詳細には、プローブ１２を一定の周波数及び変位（振幅）で正逆回動振動させ、その間のトルクの値を計測する。この計測を所定の時間おきに複数回にわたって行う。この計測によって評価対象部位に化粧料を塗布してからの時間とその時間でのトルクの値との関係を求める。そして、図５に示すとおり、ある特定の時間でのトルクの値に着目し、そのトルクの値の大小に基づき、評価対象部位における化粧料の特性を評価する。なお図５の縦軸はトルクそのものの値ではなく、化粧料未塗布時のトルクの値に対する変化率に換算してあるが、本質に変わりはない。本発明者の検討の結果、トルクの値の大小は、化粧料を塗布した後の皮膚に化粧料由来の成分等が浸透することによって知覚される「内から潤う」感と相関を有することが判明した。詳細には、トルクの値が低いほど内から潤う感が高いと知覚される。このように本発明によれば、化粧料の特性の一つとしての内から潤う感を客観的に評価することができる。
【００３１】
図４において、プローブ１２によって評価対象部位を一定荷重で押し込んだ状態下に、制御された変形量として、上述の正逆回動振動変形を加えることに代えて、制御された一方向への回転変形を、評価対象部位の中心点への接面と平行な方向へ加えることができる。この場合、プローブ１２の一方向への回転数は、測定時間の短縮ひいては測定精度を高める点から１ｒｐｍ以上であることが好ましく、２ｒｐｍ以上であることが更に好ましく、３ｒｐｍ以上であることが一層好ましい。また、被験者へのストレスの軽減とスリップ抑制の観点より、１２ｒｐｍ以下であることが好ましく、１０ｒｐｍ以下であることが更に好ましく、８ｒｐｍ以下であることが一層好ましい。プローブ１２の一方向への回転数は、１ｒｐｍ以上１２ｒｐｍ以下であることが好ましく、２ｒｐｍ以上１０ｒｐｍ以下であることが更に好ましく、３ｒｐｍ以上８ｒｐｍ以下であることが一層好ましい。
【００３２】
プローブ１２によって評価対象部位に一方向への回転を加えることで、そのときの力学応答特性を計測する。力学応答特性としては例えばプローブ１２を一方向への回転させるときに生じる摩擦力が好適なものとして挙げられる。評価対象部位にはプローブ１２によって一定の荷重が加わっているので、計測によって得られるトルクの値は摩擦係数に換算できる。つまり、プローブ１２によって評価対象部位に一方向への回転を加えることで、そのときの摩擦係数を計測できる。摩擦係数には静摩擦係数及び動摩擦係数があるところ、本発明においては力学応答特性として静摩擦係数及び動摩擦係数の双方を採用することができる。実際の計測においては、プローブ１２を一定の回転数で一方向へ回転させ、その間の摩擦係数の値を所定の時間にわたり計測する。この計測を所定の時間おきに複数回にわたって行い、評価対象部位に化粧料を塗布してからの時間とその時間での摩擦係数の値との関係を求める。この場合、各計測において得られる摩擦係数の情報は、図６に示すとおり、プローブ１２の回転初期に得られる静摩擦係数μｓの情報と、プローブ１２の回転が開始してから所定時間後に得られる動摩擦係数μｄの情報とからなる。このように、各計測において静摩擦係数μｓ及び動摩擦係数μｄが得られ、この計測を所定の時間おきに複数回にわたって行うことで、評価対象部位に化粧料を塗布してからの時間とその時間での静摩擦係数μｓ及び動摩擦係数μｄの値との関係をそれぞれ求める。
【００３３】
本発明者の検討の結果、静摩擦係数μｓと、化粧料を皮膚に塗布してからの経過時間とをプロットしたグラフにおいて、静摩擦係数μｓにピークが観察されるか否かが、化粧料を塗布している間の皮膚のみずみずしさと相関することが判明した。化粧料の塗布中の皮膚のみずみずしさは、化粧料を塗布しているときに化粧料に加わる剪断力に起因して化粧料から水が分離し、その水の存在を知覚することに由来するものであると本発明者は推察している。そして、図７（ａ）に示すとおり、静摩擦係数μｓにピークが観察される化粧料は、塗布中に皮膚のみずみずしさが知覚される。一方、図７（ｃ）に示すとおり、静摩擦係数μｓにピークが観察されない化粧料は、塗布中に皮膚のみずみずしさは知覚されない。
【００３４】
化粧料の塗布中のみずみずしさの程度は、静摩擦係数μｓと時間とをプロットしたグラフにおいて、静摩擦係数μｓのピークの値の大小と相関があることも、本発明者の検討の結果判明した。詳細には、静摩擦係数μｓのピークの値が大きいほど、その化粧料は塗布中のみずみずしさの程度が高いと判断できる。例えば図７（ａ）と図７（ｂ）の測定結果はいずれも静摩擦係数μｓにピークが観察されるところ、ピークの値が大きい図７（ａ）の化粧料の方が、図７（ｂ）の化粧料よりも、化粧料の塗布中のみずみずしさが一層強く知覚される。
【００３５】
以上は、プローブ１２を一定の回転数で一方向へ回転させたときに得られる静摩擦係数μｓに基づく化粧料の特性の評価に関するものである。一方、動摩擦係数μｄに関しては、動摩擦係数μｄと、化粧料を皮膚に塗布してからの経過時間とをプロットしたグラフにおいて、動摩擦係数μｄにピークが観察されるか否かが、化粧料の皮膚への馴染みの速さと相関することが判明した。化粧料の皮膚への馴染みの速さとは、化粧料を皮膚に塗布し、化粧料が皮膚に浸透して塗布が完了したと知覚するまでの時間の速さのことである。動摩擦係数μｄにピークが観察される化粧料は、該化粧料を皮膚に塗布したときの馴染みが速いものであると考えられる。
【００３６】
化粧料の皮膚への馴染みの速さの程度は、動摩擦係数μｄと時間とをプロットしたグラフにおいて、動摩擦係数μｄのピークの値の大小と相関があることも、本発明者の検討の結果判明した。詳細には、動摩擦係数μｄのピークの値が大きいほど、その化粧料は皮膚に素早く浸透して馴染みの程度が高いと判断できる。例えば、図８（ａ）に示すとおり、動摩擦係数μｄにピークが観察される化粧料は、皮膚への馴染みが速いと知覚される。一方、図８（ｂ）に示すとおり、動摩擦係数μｄにピークが観察されない化粧料は、皮膚への馴染みの速さが知覚されない。
【００３７】
これまでの説明は、図３及び図４において、評価対象部位の中心点の接面と平行な方向へ、制御された正逆回動振動変形又は制御された一方向への回転変形を加えたときの力学応答特性を計測することに関してのものであるが、これに代えて、評価対象部位の中心点への接面と直交する方向へ、制御された変形量又は制御された力で押し込みを行い、そのときの力学応答特性を計測してもよい。詳細には、図３に示す固定状態が完成したら、評価対象部位の中心点への接面と直交する方向へ、制御された変形量でプローブ１２の押し込みを行うか、又は制御された力でプローブ１２の押し付けを行う。例えばプローブ１２を一定速度で降下させて評価対象部位を押し込むことができる。そして、一定速度での押し込み時にプローブ１２が受ける法線力を計測する。
【００３８】
制御された変形量としての一定速度での押し込みは、計測時間の短縮とデータのサンプリング速度を考慮し、適切な値を選択できる。プローブ１２の降下速度は、例えば０．１ｍｍ／ｓ以上であることが好ましく、０．５ｍｍ／ｓ以上であることが更に好ましく、１．０ｍｍ／ｓ以上であることが一層好ましい。また３．０ｍｍ／ｓ以下であることが好ましく、２．５ｍｍ／ｓ以下であることが更に好ましく、２．０ｍｍ／ｓ以下であることが一層好ましい。プローブ１２の降下速度は、０．１ｍｍ／ｓ以上３．０ｍｍ／ｓ以下であることが好ましく、０．５ｍｍ／ｓ以上２．５ｍｍ／ｓ以下であることが更に好ましく、１．０ｍｍ／ｓ以上２．０ｍｍ／ｓ以下であることが一層好ましい。
【００３９】
上述の押し込み速度でプローブ１２を評価対象部位に一定速度で押し込みつつ、該プローブ１２が受ける法線力を計測する。この計測を所定の時間おきに複数回にわたって行う。そして、評価対象部位に化粧料を塗布してからの時間とその時間での法線力の値との関係を求める。そして、ある特定の時間での法線力の値に着目し、その法線力の値の大小に基づき、評価対象部位における化粧料の特性を評価する。本発明者の検討の結果、法線力の値の大小は、化粧料を塗布した皮膚の柔らかさと相関を有することが判明した。具体的には、図９に示すとおり、法線力の値が小さいほど、化粧料を塗布した皮膚は柔らかいと知覚される。このように本発明によれば、化粧料の特性の一つとしての皮膚の柔らかさを客観的に評価することができる。なお図９の縦軸は法線力そのものの値ではなく、ブランクの法線力の値に対する変化率に換算してあるが、本質に変わりはない。
【００４０】
前記の法線力を計測する場合には、プローブ１２を評価対象部位に一定荷重で押し込みそのときの力学応答特性としての法線力を測定したが、押し込み動作に代えて、制御された変形量として、押し込みが完了した後に一定速度でのプローブ１２の引き上げ動作を行い、そのときの力学応答特性を計測することもできる。詳細には、制御された力として一定荷重を評価対象部位にプローブ１２によって加え、所定時間経過後に、制御された変形量としての一定速度でのプローブ１２の引き上げを行うことができる。
【００４１】
プローブ１２を一定速度で引き上げるときの力学応答特性としては、例えばタックが挙げられる。この場合、プローブ１２を一定速度で引き上げつつ、該プローブ１２が受けるタックに関する応答特性を計測する。そして、評価対象部位に化粧料を塗布してからの時間とその時間でのタックに関する応答特性の値との関係を求める。タックに関する応答特性としては、例えばタック力のピーク値や、タック力の持続時間などが挙げられる。タック力の持続時間とは、タック幅とも呼ばれるものである。化粧料を塗布した皮膚にプローブを押し込んでいき、次いで該プローブ１２を一定速度で引き上げていくと、プローブ１２に粘着して皮膚がプローブ１２とともに引き上げられ、ついには皮膚がプローブ１２から剥離する現象が観察されるところ、原点からの皮膚の引き上げ距離のことを、タック力の持続時間又はタック幅という。したがってタック幅が大きいほど、皮膚はプローブ１２とともに上方まで引き上げられる。本発明者の検討の結果、タックに関する応答特性のうちタック力のピーク値は、化粧料を塗布した皮膚のべたつきの無さと相関を有することが判明した。具体的には、タック力のピーク値が小さいほど、化粧料を塗布した皮膚はべたつきが少ないと知覚される。このように本発明によれば、化粧料の特性の一つとしてのべたつきの無さを客観的に評価することができる。
【００４２】
タックに関する応答特性としては、タック力のピーク値のほかに、上述したタック幅が挙げられる。本発明者の検討の結果、タック幅の値は、化粧料を塗布した皮膚のもちもち感と相関を有することが判明した。具体的には、タック幅の値が大きいほど、化粧料を塗布した皮膚はもちもち感を有すると知覚される。例えば、図１０（ａ）と図１０（ｂ）との比較から明らかなとおり、タック幅Ｗ１が広い図１０（ａ）の化粧料の方が、タック幅Ｗ２が狭い図１０（ｂ）の化粧料よりも、強いもちもち感が知覚される。本発明におけるもちもち感とは、皮膚上に化粧料を手で塗り伸ばした場合にもちもちと感じる塗り心地であり、化粧料由来の塗膜が皮膚上に形成されることによって知覚される。このように本発明によれば、化粧料の特性の一つとしてのもちもち感を客観的に評価することができる。なお図１０（ａ）及び図１０（ｂ）の測定結果は、異なる２種類の化粧料を対象として、これらの化粧料を皮膚に塗布してから所定時間経過後に測定したものである。
【００４３】
タックに関する応答特性を計測するときのプローブ１２の引き上げ速度は、計測時間の短縮とデータのサンプリング速度を考慮し、適切な値を選択できる。プローブ１２の引き上げ速度は、例えば０．１ｍｍ／ｓ以上であることが好ましく、０．５ｍｍ／ｓ以上であることが更に好ましく、１．０ｍｍ／ｓ以上であることが一層好ましい。また３．０ｍｍ／ｓ以下であることが好ましく、２．５ｍｍ／ｓ以下であることが更に好ましく、２．０ｍｍ／ｓ下であることが一層好ましい。プローブ１２の引き上げ速度は、０．１ｍｍ／ｓ以上３．０ｍｍ／ｓ以下であることが好ましく、０．５ｍｍ／ｓ以上２．５ｍｍ／ｓ以下であることが更に好ましく、１．０ｍｍ／ｓ以上２．０ｍｍ／ｓ以下であることが一層好ましい。
【００４４】
制御された変形量としての一定速度でのプローブ１２の引き上げを行い、そのときの力学応答特性としてタック幅を採用する場合には、一定速度でのプローブ１２の引き上げを行うに先立ち、制御された力としての一定荷重での押し付けに代えて、制御された変形量としての一定速度での押し込みを行うことが好ましい。つまり、制御された変形量としての一定速度でのプローブ１２の押し込みを行い、次いで制御された変形量としての一定速度でのプローブ１２の引き上げを行うことが好ましい。このようにすることで、タック幅に基づく評価対象部位のもちもち感を一層精度良く評価することができる。
【００４５】
以上、本発明をその好ましい実施形態に基づき説明したが、本発明は前記実施形態に制限されない。例えば制御された変形量及び制御された力と、そのときの応答特性との組み合わせは上述したものに限られず、評価対象となる化粧料の種類に応じ適切に選択すればよい。
【００４６】
また、前記実施形態においては、図１に示す動的粘弾性測定装置１０を、図２に示す保持具２０と併用したが、計測中に被測定物を不動にできる限り、保持具２０以外の道具を用いてもよく、あるいは道具を用いずに計測を行ってもよい。
【実施例】
【００４７】
以下、実施例により本発明を更に詳細に説明する。しかしながら本発明の範囲は、かかる実施例に制限されない。
【００４８】
〔実施例１〕
本実施例においては、評価対象部位としてヒトの上腕内側部を用い、化粧料を塗布した皮膚の力学応答特性を測定した。測定には、図１に示す動的粘弾性測定装置１０及び図２に示す保持具２０を用いた。保持具２０としては減圧式ビーズマットを用いた。保持具２０を図３に示すとおりに装置１０に設置し、保持具２０によってヒトの上腕内側部を保持した。動的粘弾性測定装置１０に取り付けるプローブとしては図１１に示す、溝形成による滑り止め処理を施した直径８ｍｍのアルミニウム合金製の円板プローブを用いた。この測定により得られるトルク値は、化粧料を塗布したヒトの皮膚の柔らかさの指標となるものである。測定は２段階で行った。最初に、プローブが計測対象部位を１Ｎの押し付け力で押すように制御し（全５秒間）、続いて押し付け力を１Ｎに制御し、正逆回動振動（正弦振動）を与えつつ一定の時間間隔で１０点の測定を行った。周波数は２Ｈｚで、振幅は０．８度（線形歪みの範囲内）とした。測定は、化粧料を塗布してから１２分が経過するまで行った。化粧料として、市販の化粧水１Ａ、１Ｂ及び１Ｃを用いた。測定結果を図５に示す。同図に示す結果から明らかなとおり、化粧料を塗布してから１０分経過後で比較すると、トルクの値は化粧水１Ａ、１Ｂ、１Ｃの順で低くなっていることが判る。この測定と別途に行った専門パネラによる官能評価では、化粧水１Ａ、１Ｂ、１Ｃの順で「内から潤う」感が高くなった。このように、測定結果と官能評価は相関しており、本実施例の方法が、化粧料の「内から潤う」感の評価に有用であることが確認された。
【００４９】
〔実施例２〕
プローブとして直径８ｍｍのジルコニア製円板を用いた。円板の表面は平滑なものであった。測定は２段階で行った。最初に、プローブが計測対象部位を１Ｎの押し付け力で押すように制御し（全５秒間）、続いて押し付け力を１Ｎに制御し、６ｒｐｍで一方向への回転変形を与えた。測定開始から０．０４秒経過後を始点とし、測定開始から０．２秒経過後を終点とし、始点から終点までの間で６０点の摩擦係数を測定し、その最大値を静摩擦係数μｓの値とした。また、測定開始から０．２秒経過後を始点とし、測定開始から０．４秒経過後を終点とし、始点から終点までの間で７０点の摩擦係数を測定し、その平均値を動摩擦係数μｄの値とした。測定は、化粧料を塗布してから２０分が経過するまで、所定の時間間隔で行った。静摩擦係数μｓの測定においては、化粧料として、市販のジェル状化粧料２Ａ，２Ｂ及び２Ｃを用いた。動摩擦係数μｄの測定においては、化粧料として、市販の化粧乳液２Ｄ及び２Ｅを用いた。これら以外は実施例１と同様の操作を行った。
【００５０】
静摩擦係数μｓの値と、皮膚に化粧料を塗布してからの経過時間との関係を図７（ａ）−（ｃ）に示す。同図に示す結果から明らかなとおり、図７（ａ）及び図７（ｂ）のジェル状化粧料２Ａ及び２Ｂには静摩擦係数μｓにピークが観察されるが、図７（ｃ）のジェル状化粧料２Ｃには静摩擦係数μｓにピークが観察されない。この測定と別途に行った専門パネラによる官能評価では、ジェル状化粧料２Ｃ、２Ｂ、２Ａの順で塗布中のみずみずしさが高くなった。このように、測定結果と官能評価は相関しており、本実施例の方法が、化粧料の塗布中のみずみずしさの評価に有用であることが確認された。
【００５１】
一方、動摩擦係数μｄに関しては、動摩擦係数μｄの値と、皮膚に化粧料を塗布してからの経過時間との関係を図８（ａ）及び（ｂ）に示す。同図に示す結果から明らかなとおり、図８（ａ）の化粧乳液２Ｄには動摩擦係数μｄにピークが観察されるが、図８（ｂ）の化粧乳液２Ｅには動摩擦係数μｄにピークが観察されない。この測定と別途に行った専門パネラによる官能評価では、化粧乳液２Ｅ、２Ｄの順で化粧乳液の馴染みの速さが高くなった。このように、測定結果と官能評価は相関しており、本実施例の方法が、化粧料の馴染みの速さの評価に有用であることが確認された。
【００５２】
〔実施例３〕
プローブ１２として直径８ｍｍのジルコニア製円板を用いた。円板の表面は平滑なものであった。測定は１段階で行った。プローブが計測対象部位を１．５ｍｍ／ｓの速度で押し込むように制御し、２ｍｍの深さまで押し込みを行った。そして、押し込み深さが２ｍｍのときの法線力を測定した。測定は、化粧料を塗布してから１２分が経過するまで、所定の時間間隔で行った。化粧料として、市販の化粧水３Ａ，３Ｂ及び３Ｃを用いた。これら以外は実施例１と同様の操作を行った。測定結果を図９に示す。同図に示す結果から明らかなとおり、化粧料を塗布してから８分経過後で比較すると、法線力の値は化粧水３Ｃ、３Ｂ、３Ａの順で低くなっていることが判る。この測定と別途に行った専門パネラによる官能評価では、化粧水３Ｃ、３Ｂ、３Ａの順で皮膚の柔らかさが強く知覚された。このように、測定結果と官能評価は相関しており、本実施例の方法が、化粧料が塗布された皮膚の柔らかさの評価に有用であることが確認された。
【００５３】
〔実施例４〕
プローブ１２として直径８ｍｍのジルコニア製円板を用いた。円板の表面は平滑なものであった。測定は２段階で行った。最初に、プローブが計測対象部位を１Ｎの押し付け力で押すように制御し（全５秒間）、次いでプローブを１．５ｍｍ／ｓの速度で引き上げた。そのときのタック力のピーク値を測定した。測定は、化粧料を塗布してから１０分が経過するまで、所定の時間間隔で行った。化粧料として、市販の化粧クリーム４Ａ及び４Ｂを用いた。測定結果を図１２に示す。同図に示す結果から明らかなとおり、化粧料を塗布した時点、２．５分経過後、及び５分経過後のいずれであっても、タック力のピークの値は化粧クリーム４Ａの方が４Ｂよりも高くなっていることが判る。この測定と別途に行った専門パネラによる官能評価では、化粧クリーム４Ａ、４Ｂの順でべたつきの無さが知覚された。このように、測定結果と官能評価は相関しており、本実施例の方法が、化粧料のべたつきの無さの評価に有用であることが確認された。
【００５４】
〔実施例５〕
プローブ１２として直径８ｍｍのジルコニア製円板を用いた。円板の表面は平滑なものであった。測定は２段階で行った。最初に、プローブが計測対象部位を１．５ｍｍ／ｓの速度で押し込むように制御し、４ｍｍの深さまで押し込みを行った。次いでプローブを１．５ｍｍ／ｓの速度で引き上げた。そのときのタック幅の値を測定した。測定は、化粧料を塗布してから１０分が経過するまで、所定の時間間隔で行った。化粧料として、市販の化粧水５Ａ、５Ｂ及び５Ｃを用いた。測定結果を図１３に示す。同図における３分経過後のタック幅の値は化粧水５Ａ、５Ｂ及び５Ｃの順で大きくなっていることが判る。この測定と別途に行った専門パネラによる官能評価では、化粧水５Ａ、５Ｂ及び５Ｃの順で強いもちもち感が知覚された。このように、測定結果と官能評価は相関しており、本実施例の方法が、化粧料のもちもち感の評価に有用であることが確認された。
【符号の説明】
【００５５】
１０  動的粘弾性測定装置
１１  装置本体
１２  プローブ
１３  テーブル
１４  架台
１４ａ  載置面
２０  保持具
２０ａ  凹部
２１  気密袋
２２  連通部
３０  ヒト
３１  前腕部
【図１】
2019052858.tif 000003
【図２】
2019052858.tif 000004
【図３】
2019052858.tif 000005
【図４】
2019052858.tif 000006
【図５】
2019052858.tif 000007
【図６】
2019052858.tif 000008
【図７】
2019052858.tif 000009
【図８】
2019052858.tif 000010
【図９】
2019052858.tif 000011
【図１０】
2019052858.tif 000012
【図１１】
2019052858.tif 000013
【図１２】
2019052858.tif 000014
【図１３】
2019052858.tif 000015